(57)【特許請求の範囲】
【請求項１】
２本の電線をスリーブ接続する際に用いられる電線接続用保持具であって、
スリーブの所定の位置をその管軸方向に直角に把持可能な幅狭のスリーブ把持部と、
前記スリーブ把持部を挟んでその両側に配置され、前記スリーブ管軸方向両端の電線挿通口の軸線のそれぞれに略平行に前記各電線を把持可能な２つの電線把持部と、
専用工具によって前記スリーブを塑性変形するのに支障のない位置で前記スリーブ把持部および前記各電線把持部を相互に連結する連結機構部とを備え、
前記連結機構部は、
前記スリーブ把持部に一端が固定され、これに把持される前記スリーブの長さ方向に略直角な方向に延設されたスリーブ把持部アームと、
その他端に固定される連結部材と、
一端が前記電線把持部のそれぞれに固定され、他端が前記連結部材を介して前記スリーブ把持部アームに回動可能に連結される１対の電線把持部アームと
から構成されることを特徴とする電線接続用保持具。
【請求項２】
前記１対の電線把持部アームは、前記連結部材に連結され、伸縮可能な直線部分と前記電線把持部から延設される直線部分とからそれぞれ構成される略Ｌ字状を呈している請求項１に記載の電線接続用保持具。
【請求項３】
２本の電線をスリーブ接続する際に用いられる電線接続用保持具であって、
スリーブの所定の位置をその管軸方向に直角に把持可能な幅狭のスリーブ把持部と、
前記スリーブ把持部を挟んでその両側に配置され、前記スリーブ管軸方向両端の電線挿通口の軸線のそれぞれに略平行に前記各電線を把持可能な２つの電線把持部と、
専用工具によって前記スリーブを塑性変形するのに支障のない位置で前記スリーブ把持部および前記各電線把持部を相互に連結する連結機構部とを備え、
前記連結機構部は、
前記スリーブ把持部に一端が固定され、これに把持されるスリーブの長さ方向に略直角な方向に延設されたスリーブ把持部アームと、
前記電線把持部のそれぞれに一端が固定され、前記スリーブ把持部アームに平行に延設された１対の電線把持部アームと
前記スリーブ把持部アームと前記電線把持部アームのそれぞれとを連結する各２本の連結部材とによって前記スリーブ把持部アームを共通にする２組の平行クランク機構で構成されることを特徴とする電線接続用保持具。
【発明の詳細な説明】
【技術分野】
【０００１】
本発明は、主に電線同士のスリーブ接続作業の際に用いられる小型で簡単な構造の電線接続用保持具に関する。
【背景技術】
【０００２】
低圧架空配電線路の工事においては、当該電線路の縁線部分などにおいて直接活線作業により電線同士を接続することがあり、その場合には、圧縮スリーブや圧着スリーブなどの電線接続用スリーブ（以下、単にスリーブという。）を用い、その管軸方向両端に設けられた電線挿通口にそれぞれ電線端部の被覆を剥いて露出させた導体（以下、端部導体という。）を挿入し、圧縮工具や圧着工具などの専用工具を用いて当該スリーブの所定の位置を塑性変形することで、このスリーブを介して電線同士を接続するのが一般的である。例えば、電線同士を一直線に突き合わせて接続するのに圧縮スリーブを用いる場合、まず作業者が圧縮スリーブの長さ方向両端の電線挿通口のいずれかに一方の電線の端部導体を差込み、圧縮工具を用いて当該開口端部寄りのスリーブ外周を１回圧縮して両者を仮接続し、続いてスリーブの仮接続した側とは反対側の電線挿通口に他方の電線の端部導体を挿入し、同様に圧縮工具を用いて当該電線挿通口寄りのスリーブ外周を圧縮して仮接続する。そうして、当該スリーブ外周の所定の位置を前記圧縮工具を用いてそれぞれ規定された回数圧縮することで、２本の電線を接続している。
【０００３】
スリーブの圧縮作業には非常に大きな操作力を要するため、作業者は両手で圧縮工具を操作する必要がある。しかし、この作業は、通常、作業者１名で行うものであり、電線の端部導体をスリーブに挿入した状態でこれらを片手で保持しなければならないため、スリーブ外周の所定の位置を圧縮工具で挟んだ上で、もう片方の手と太腿とで当該工具を操作して圧縮しているのが現状である。特に、強風時には、電線の端部導体がスリーブに確実に挿入された状態を維持するのに集中する必要があり、この圧縮作業はより困難となっていた。
【０００４】
また、圧縮工具を用いてスリーブの所定の位置を圧縮する際には、当該工具の操作に力を集中する必要があるため、片手でスリーブと電線とを十分に保持することができず、電線がスリーブから抜け落ちることがあり、その場合には接続作業をやり直す必要があった。また、仮に電線が抜け落ちない場合であっても、スリーブに電線の端部導体が所定の長さ挿入されない状態で接続されることもあり、その場合には後日接触不良など種々の問題を引き起こす可能性があった。
【特許文献１】特開平６−１６５３３３号公報
【特許文献２】特開平１０−２２０３９号公報
【特許文献３】特開平７−４６７３５号公報
【発明の開示】
【発明が解決しようとする課題】
【０００５】
本発明は、前記事情に鑑み、主に電線同士をスリーブ接続する際に、前記核電線およびスリーブをそれぞれ把持してこれらを確実に接続できる簡単な構造の電線接続用保持具を提供することを目的とする。
【課題を解決するための手段】
【０００６】
前記目的は、本発明の一局面によれば、２本の電線をスリーブ接続する際に用いられる電線接続用保持具であって、スリーブの所定の位置をその管軸方向に直角に把持可能な幅狭のスリーブ把持部と、前記スリーブ把持部を挟んでその両側に配置され、前記スリーブ管軸方向両端の電線挿通口の軸線のそれぞれに略平行に前記各電線を把持可能な２つの電線把持部と、専用工具によって前記スリーブを塑性変形するのに支障のない位置で前記スリーブ把持部および前記各電線把持部を相互に連結する連結部とを備え、前記連結機構部は、前記スリーブ把持部に一端が固定され、これに把持される前記スリーブの長さ方向に略直角な方向に延設されたスリーブ把持部アームと、その他端に固定される連結部材と、一端が前記電線把持部のそれぞれに固定され、他端が前記連結部材を介して前記スリーブ把持部アームに回動可能に連結される１対の電線把持部アームとから構成されることを特徴とする電線接続用保持具によって達成される。
【０００７】
前記目的は、本発明の別の局面によれば、２本の電線をスリーブ接続する際に用いられる電線接続用保持具であって、スリーブの所定の位置をその管軸方向に直角に把持可能な幅狭のスリーブ把持部と、前記スリーブ把持部を挟んでその両側に配置され、前記スリーブ管軸方向両端の電線挿通口の軸線のそれぞれに略平行に前記各電線を把持可能な２つの電線把持部と、専用工具によって前記スリーブを塑性変形するのに支障のない位置で前記スリーブ把持部および前記各電線把持部を相互に連結する連結部とを備え、前記連結機構部は、前記スリーブ把持部に一端が固定され、これに把持されるスリーブの長さ方向に略直角な方向に延設されたスリーブ把持部アームと、前記電線把持部のそれぞれに一端が固定され、前記スリーブ把持部アームに平行に延設された１対の電線把持部アームと、記スリーブ把持部アームと前記電線把持部アームのそれぞれとを連結する各２本の連結部材とによって前記スリーブ把持部アームを共通にする２組の平行クランク機構で構成されることを特徴とする電線接続用保持具によって達成される。
【発明の効果】
【０００８】
本発明の電線接続用保持具は、スリーブ把持部と、２つの電線把持部と、これらを所定の位置関係に配置するように相互に連結する連結機構部とを備える簡単な構造とし、これら各把持部によってスリーブおよび２本の電線をそれぞれ把持することとしたので、従来のように電線とスリーブとを片手で保持する必要がなくなることで圧縮工具などの操作に専念することができ、スリーブからの電線の抜け落ちや接触不良を引き起こすような接続を防止して電線同士のスリーブ接続を確実に行なうことができる。
【発明を実施するための最良の形態】
【０００９】
以下、添付図面を参照して本発明の実施形態について説明するが、本発明は以下の各図に示す実施形態に限定されない。なお、以下の各図では、同一または共通の各部については同一の符号を付し、以下ではこれら各部についての重複した説明は省略する。
【００１０】
［実施形態１］
図１は、本発明の電線接続用保持具の実施形態の一例を示す正面図である。この図に示す電線接続用保持具１は、スリーブＳの所定の位置を把持可能なスリーブ把持部１０と、２つの電線把持部１１、１２と、これらを所定の位置関係に配置するように相互に連結する連結機構部１３とを備えている。なお、以下では、それぞれの把持部１０〜１２の連結機構部側を「基端側」といい、その反対側を「先端側」ということとする。
【００１１】
本発明におけるスリーブＳとしては、その管軸方向両端に設けられた電線挿通口に電線Ｗ１、Ｗ２の端部導体Ｃ１、Ｃ２をそれぞれ挿入し、所定の部分（以下、塑性変形部分という。）を圧縮工具または圧着工具などの専用工具によって塑性変形させることで、２本の電線同士を接続できるものが使用できる。具体的には、直線突き合わせ用圧縮スリーブ、直線突き合わせ用圧着スリーブ、直線重ね合わせ用圧縮スリーブ、直線重ね合わせ用圧着スリーブなどが挙げられる。また、例えば端部導体を同一方向に揃えた２本の電線を接続する終端重ね合わせ用スリーブや閉端接続端子なども、これらのサイズによっては使用できる。これらのうち、直線突き合わせ用スリーブが好適に使用できる。図１に示す実施形態では、このスリーブＳとして、直線突き合わせ用圧縮スリーブを用いて、電線同士をスリーブ接続する場合について説明する。
【００１２】
（スリーブ把持部）
スリーブ把持部１０は、スリーブＳの所定の位置をその管軸方向に直角に把持可能であればその構造や形状について特に限定されず、例えばスリーブＳの外周面に適合する開口を備えたものの他、書類綴じ用などのバネ式のクリップなどの公知の把持具であってもよい。好ましくは、スリーブＳの管軸方向両端の開口に電線Ｗ１、Ｗ２の端部導体Ｃ１、Ｃ２をそれぞれ挿入する際に、スリーブＳがずれない程度に確実に把持可能なものであるのがよい。
【００１３】
スリーブ把持部１０は、前記のように変形塑性部分Ｓｃを圧縮工具や圧着工具などの専用工具を操作して塑性変形させる際に邪魔にならないように、スリーブ把持部１０におけるスリーブＳの管軸方向に平行な方向は幅狭とされる。この幅は、スリーブＳの種類やサイズ（接続しようとする電線のサイズ）によって異なり、一概には言えないが、直線突き合わせ用スリーブの場合、通常、５〜１０ｍｍ程度とされる。
【００１４】
このスリーブ把持部１０の材質については特に制限されず、例えば鉄、銅、アルミニウム、ステンレスなどの金属や硬質プラスチックなどの材料によって形成することができる。
【００１５】
図２は、好適なスリーブ把持部の一例を示す図である。この図において、スリーブ把持部１０は、固定把持片２０と、該固定把持片２０に対向し、基端側に摘み片２２を備えた可動把持片２１とを備えている。固定把持片２０と可動把持片２１とは、それぞれこれらの対向する面に互いに接近する方向に突出する軸支片を備えており、各軸支片が各把持片２０、２１の長さ方向に直角でかつこれらの幅方向（スリーブＳの管軸方向）に平行に配置された軸２３を互いに共有して軸支するように構成されている。この軸２３には、ねじりコイルバネ２７が緩装され、当該コイルバネ２７の両端部は、把持片２０，２１の基端
側の内面に設けられた案内溝内にそれぞれ収容されている（図２では、可動把持片側の案内溝２２ａのみ図示している。）。このねじりコイルバネ２７によって、可動把持片２１の先端側は固定把持片２１のそれに対して接近する方向に付勢されており、摘み片２２を操作して固定把持片２０および可動把持片２１の先端側を開閉することで、スリーブＳを把持することができるようになっている。
【００１６】
このスリーブ把持部１０のスリーブＳにおける把持位置は、専用工具を用いて当該スリーブＳ塑性変形部分Ｓｃを除いた部分のなかで適宜設定される。例えば、スリーブＳが直線突き合わせ用スリーブである場合には、その管軸方向両側の電線挿通口から略中間まで電線の端部導体をそれぞれ挿入し、図１に示すように、前記専用工具によって塑性変形部分Ｓｃを塑性変形させることになる。そのため、この場合には、スリーブ把持部１０が把持する位置は、スリーブＳの略中間位置がスリーブ把持部１０による把持位置となる。また、スリーブＳが重ね合わせ用スリーブである場合には、塑性変形部分は、当該スリーブの略中間に位置するので、当該領域を除いた両端部のいずれかがスリーブ把持部１０による把持位置となる。
【００１７】
（電線把持部）
電線把持部１１、１２は、それぞれ前記スリーブ管軸方向両端の電線挿通口の軸線のそれぞれに略平行に電線（図１におけるＷ１、Ｗ２）を把持可能であれば、その構造および形状については特に限定されず、公知の把持具などを使用できる。好ましくは、この電線把持部１１、１２はいずれも一旦電線を把持したら、その後の工具を用いた電線同士のスリーブ接続作業中に当該電線把持部１１、１２から電線Ｗ１、Ｗ２が脱落しないよう確実に電線の被覆を把持できる構造を備えているものがよい。このような電線把持部の具体例として、図２に示すスリーブ把持部と同様の構造、形状および材質を備えたものの他、以下に示すような電線Ｗ１、Ｗ２を把持するとともに、当該電線Ｗ１、Ｗ２をその軸線方向に沿って送り出すことができるものなどが挙げられる。なお、２つの電線把持部１１，１２は、互いに同様の構造、形状を備えたものであってもよく、異なる構造、形状を備えたものであってもよい。
【００１８】
図３は、図２に示す構造とは異なる電線把持部の一具体例を示している。この図に示す電線把持部１４（１６）は、外周に溝が設けられ、溝付きゴムロール３３、３６と、側面視円弧状の案内板３９とから主に構成されている。溝付きゴムロール３３、３６は、ワンウエイクラッチ・ベアリングの外周面にその円周方向に沿った溝を有するゴム層が貼設されたものであり、一方向には回転するがその反対方向には回転しないようになっている。電線把持部アーム１３（１５）の先端に固定された直方体状の基台３０の先端面に互いに平行に先端側に向けてそれぞれ立設され、略中間に鍔３４，３７を備える軸３１、３２のそれぞれに、これらのゴムロール３３、３６が回転方向を合わせて嵌め込まれ、さらに先端側からナット３５、３８を螺合することで固定されている。
【００１９】
一方、案内板３９は、その長さ方向略中間に当該案内板３９に垂直に基端側に向けて立設された支持片４０を備えており、その基端側の端部寄りに穿設された貫通孔にはボルト４１が挿通されている。このボルト４１は、基台３０の側面に穿設されたねじ穴に螺合するようになっており、支持片４０と基台３０との間のねじ部にはコイルバネ４２が緩装されている。基台３０のねじ穴にボルト４１をねじ込むことで、電線Ｗ１（またはＷ２）は、溝付きゴムロール３３，３６と案内板３９との間に挟み込まれ、このコイルバネ４２の付勢力によってこれらの間でより確実に把持される。しかも、このその軸線方向スリーブＳの電線挿通口に向けて送り出すことができるようになっている。
【００２０】
（連結機構部）
本実施形態における連結機構部１３は、スリーブ把持部アーム１５と、１対の電線把持部アーム１７、１８と、これらを相互に連結する連結部材１６とから構成されている。電線把持部アーム１７、１８は、連結部材１６に回動可能に連結されている。この構成により、各電線把持部１１、１２をスリーブ把持部１０を挟んでその両側に配置するように、圧縮工具などのスリーブＳの塑性変形に支障のない位置でこれら各把持部１０〜１２を相互に連結している。
【００２１】
スリーブ把持部アーム１５は、スリーブ把持部１０の基端側にその一端が公知の方法で固定され、当該スリーブ把持部１０が把持するスリーブＳの管軸方向に直角な方向に延設されている。このスリーブ把持部アーム１５の形状には特に制限はなく、円形、楕円形、略円形、略楕円形のほか、四角形、三角形などの通常の多角形などの断面形状を有する棒状体や管状体などを使用できる。また、このスリーブ把持部アーム１５は前記形状を備えた硬質材料であれば特に限定されず、例えば鉄、銅、アルミニウム、ステンレスなどの金属、硬質プラスチック材料、ガラスなどによって形成することができる。
【００２２】
２つの電線把持部１１、１２には、これらの基端側に公知の方法で一端が固定され、スリーブ把持部アーム１５と同方向（これらが把持する電線の軸線方向）に延設される直線部分１７１、１８１と、その先端でこれに直角に折曲され、互いに接近する方向に延びる直線部分１７２、１８２とからなる略Ｌ字状の電線把持部アーム１７、１８がそれぞれ設けられている。この１組の電線把持部アーム１７、１８は、スリーブ把持部アーム１５と同様の断面形状を有する棒状体や管状体で形成することができる。また、これらのアーム１７、１８は、スリーブ把持部アーム１５と同様の素材によって形成することができる。なお、電線把持部アーム１７、１８の形状は、このような略Ｌ字状に限定されず、スリーブ把持部アーム１５の先端に設けられた後述する連結部材１６と各電線把持部１１，１２との間を直線的にまたはジグザグ状に連結するようなものであってもよい。また、電線把持部アーム１７，１８は、互いに同様の構造、形状であってもよく、異なる構造、形状であってもよい。
【００２３】
スリーブ把持部アーム１５と２つの電線把持部アーム１７、１８を相互に連結する連結部材１６は略Ｔ字状を呈している。この連結部材１６は、公知の硬質または軟質の材料によって形成することができる。この連結部材１６と前記各把持部アーム１５、１７、１８との固定は、それぞれ公知の方法によって行なうことができる。
【００２４】
［実施形態２］
図４は、本発明の電線接続用保持具の実施形態の別の例を示している。この図に示す実施形態は、図１に示す電線把持部アーム１７、１８の一変形例を示すものであり、その他の構成については本質的に変わるところはない。連結部材１に連結される各電線把持部アーム１７、１８の直線部分１７２、１８２をそれぞれ直線部分１７１、１８１から直角に折曲された直線部分１７２ａ，１８２ａと、これらを挿入可能な開口端部を一端に備え、他端が連結部材１６に固定される外管１７２ｂ、１８２ｂとからなる入れ子構造とし、伸縮自在に構成することもできる。
【００２５】
本実施形態では、スリーブ把持部１０が把持するスリーブＳの管軸方向に平行に伸縮自在とすることで、電線把持部１１、１２にそれぞれ電線を把持させた後に、電線把持部アーム１７，１８の直線部分１７２、１８２をそれぞれ収縮させて各電線Ｗ１，Ｗ２をこれらの軸線方向に互いに接近させることで、前記電線挿通口に挿入することが可能となる。
【００２６】
また、図４に示す実施形態において、電線把持部アーム１７、１８は、連結部材１６に回動可能に連結されている。この場合、電線把持部アーム１７，１８は、これを構成する直線部分１７２、１８２（１７２ａ、１８２ａ）の軸心回りに回動可能とすることで、電線同士のスリーブ接続作業以外の作業にも本発明の電線接続用保持具を使用できるようになる。
【００２７】
接続作業以外の作業としては、例えば低圧架空電線路から分岐された架空引込線の当該分岐箇所の近傍に電線ヒューズを取り付ける作業が挙げられる。この電線ヒューズＦＨは、通常、内外二重筒からなる絶縁筒の長さ方向両端に保護キャップを被覆し、該保護キャップを貫通して中心線上に電線(リード線）を接続する円筒状の接続端子を対向配置し、該接続端子間に、中央に低溶融金属片を備えたヒューズエレメントを張設した構造を備えたものである。図５は、図１に示す実施形態において、電線把持部アーム１８を回動可能とした構成を用いた電線ヒューズの取り付け状態を示す図である。この図に示すように、本発明の電線接続用保持具の電線把持部アーム１８は、その直線部分１８２の軸心回りに図１に示す位置から約１８０°回動されており、それに伴い電線把持部１２も反転した位置に移動している。このように電線把持部アーム１８を回動させることで、当該アーム１８が邪魔にならずに電線ヒューズＦＨの長さ方向一端に設けられた接続端子Ｓをスリーブ把持部１０で把持できるようになるとともに、電線Ｗ１を接続端子Ｓの電線挿通口に挿入した状態で当該接続端子Ｓを専用工具により塑性変形することで接続することができるようになる。
【００２８】
［実施形態３］
図６は、本発明の電線接続用保持具の実施形態のさらに別の例を示している。この図に示す実施形態では、スリーブ把持部１１の基端側にスリーブ把持部アーム１０が延設され、また２つの電線把持部１４、１６の基端側に一端がそれぞれ固定された電線把持部アーム１７，１８がスリーブ把持部アーム１５の延設方向と同方向に延設されている。これらスリーブ把持部アーム１５と２つの電線把持部アーム１７、１８とは、それぞれ略矩形の断面形状を有する帯状体とされている。これら各アーム１５、１７、１８の長さは、それぞれ同じ長さでも異なる長さでもよいが、少なくとも電線把持部アーム１７、１８は図５に示すように同じ長さに設定するのが好ましい。
【００２９】
スリーブ把持部アーム１５の長さ方向略中間には、この図に垂直な方向に貫通し、ボルトまたはリベットなどを挿通可能な２つの貫通穴１５ａ、１５ｂが所定の中心間距離だけ離してそれぞれ穿設されている。また、電線把持部アーム１７、１８には、これらの長さ方向基端側寄りにスリーブ把持部アーム１５における貫通孔１５ａ、１５ｂの中心間距離と同等の中心間距離でボルト、蝶ねじなどをねじ込み可能な２つのねじ穴１７ａ、１７ｂ；１８ａ、１８ｂ（いずれも略同等の穴径）がそれぞれ穿設されている。
【００３０】
連結部材４７、４８；５１、５２は、それぞれ同じ形状およびサイズの細長い帯状体であり、これらの一端部にはそれぞれスリーブ把持部アーム１５の貫通穴１５ａ、１５ｂと略同等の直径の透孔が、また他端部には電線把持部アーム１７，１８のねじ穴よりも僅かに大きい直径を有する透孔がそれぞれ穿設されている。
【００３１】
図６に示すように、連結部材４７、４８は、図に向って奥側からスリーブ把持部アーム１５および電線把持部アーム１７に連結され、また連結部材５１、５２は、図に向って手前側からスリーブ把持部アーム１５および電線把持部アーム１８に連結されている。連結部材４７、４８と電線把持部アーム１７とは、前者の一端部に穿設された透孔を後者の２つのねじ穴１７ａ、１７ｂに合わせて蝶ねじ４５、４６をねじ込むことによって連結されている。また、連結部材５１，５２と電線把持部アーム１８とについても前記と同様に穴合わせを行い、蝶ねじ５３、５４をねじ込むことによって連結されている。各連結部材４７、４８、５１、５２の他端とスリーブ把持部アーム１５とは、後者の略中間に穿設された貫通穴１５ａ、１５ｂに前者のそれぞれの透孔を合わせてボルトおよびナットなどの締結具、あるいはリベットによって締結、連結される。
【００３２】
スリーブ把持部アーム１５および電線把持部アーム１７、１８と連結部材４７、４８、５１、５２とを前記のように連結することで、スリーブ把持部アーム１５を共通にする２組の平行クランク機構が形成され、蝶ボルト４５、４６、５３、５４を緩めることで、アーム１３、１５はそれぞれアーム１０に対して平行な状態を維持しながら図に向って上下方向に移動することができるようになっている。
【００３３】
本実施形態の電線接続用保持具１を用いて電線同士を突き合わせてスリーブ接続する場合、蝶ボルト４５、４６、５３、５４を調整してアーム１０、１３、１５の長さ方向に対して連結部材４７、４８、５１、５２を略垂直に配置する。これによりスリーブ把持部１１によってスリーブＳを把持した場合に、スリーブＳの管軸方向両端の電線挿通口に各電線の端部導体を挿入状態または挿入可能状態にしてこれら各電線Ｗ１，Ｗ２を把持することができる。このとき、必要であれば、図５に示すように、連結部材４８、５２の回動を規制する回動規制手段として突起１０ｃ、１０ｃをアーム１０の図に向って手前側および奥側の面にそれぞれ突設しておくことで、スリーブ把持部１０が恥じするスリーブＳの管軸と電線把持部１１，１２がそれぞれ把持する各電線の軸線とが略合致する位置で、連結部材４７、４８、５１、５２の回動を規制することができる。
【００３４】
また、蝶ボルト４５、４６；５３、５４を緩めて電線把持部１１または１２を回動させることで、電線ヒューズＦＨの接続端子Ｓに電線を圧縮接続する場合にも、本実施形態の電線接続用保持具を好適に使用することができる。また、本実施形態の電線接続用保持具は、未使用時にはコンパクトに折り畳め、携帯性および収納性に優れたものとなる。
【００３５】
以上説明したように、本発明の電線接続用保持具は、スリーブ把持部および２つの電線把持部を所定の位置関係に配置するようにこれらを相互に連結する連結機構部を備え、スリーブ把持部が把持するスリーブの電線挿通口に各電線の端部導体を挿入した状態でこれらを把持することができるので、スリーブを塑性変形させるのに電線とスリーブとを片手で保持する必要がなくなり、その結果、圧縮工具などの操作に専念することができ、スリーブからの電線の抜け落ちや接触不良を引き起こすような接続を防止して電線同士のスリーブ接続を確実に行なうことができる。また、本発明の電線接続用保持具は、連結機構部を介して２つの電線把持部のうち少なくとも一方を移動させ、その位置を変えることで、電線ヒューズ接続端子への電線の接続作業にも使用できるようになる。
【００３６】
また、本発明の電線接続用保持具は、前記の通りスリーブ把持部、２つの電線把持部および連結機構部を備えた簡単な構造であるので製作が容易であり、これら各部の素材を適宜選択することで、軽量化を図ることができる。
【図面の簡単な説明】
【００３７】
【図１】本発明の電線接続用保持具の実施形態の一例を示す図である。
【図２】スリーブ把持部の一例を示す斜視図である。
【図３】電線把持部の一例を示す斜視図である。
【図４】本発明の電線接続用保持具の実施形態の別の例を示す図である。
【図５】図１に示す実施形態の別の使用方法を示す図である。
【図６】本発明の電線接続用保持具の実施形態のさらに別の例を示す図である。
【図７】図６に示す実施形態の別の使用方法を示す図である。
【符号の説明】
【００３８】
１    電線接続用保持具
１０    スリーブ把持部
１１、１２    電線把持部
１３    連結機構部
１５    スリーブ把持部アーム
１５ａ、１５ｂ    ねじ穴
１５ｃ    突起
１６    連結部材
１７、１８    電線把持部アーム
１７ａ、１７ｂ、１８ａ、１８ｂ    ねじ穴
２０    固定把持片
２１    可動把持片
２０ａ、２１ａ    内周面
２２    摘み部
２３    軸
２４    ねじりコイルバネ
３０    基台
３１、３２    軸
３３、３６    溝付きゴムロール
３９    案内板
４０    案内板支持部
４１    ボルト
４２    コイルバネ
４５、４６、５３、５４    蝶ねじ
４７，４８，５１，５２    連結部材
Ｃ１，Ｃ２    端部導体
ＦＨ    電線ヒューズ
Ｓ    スリーブ（電線ヒューズ接続端子）
Ｓｃ    塑性変形部分（圧縮部）
Ｗ１，Ｗ２    電線
【図１】
0005106014.tif 000002
【図２】
0005106014.tif 000003
【図３】
0005106014.tif 000004
【図４】
0005106014.tif 000005
【図５】
0005106014.tif 000006
【図６】
0005106014.tif 000007
【図７】
0005106014.tif 000008